(57)【要約】【課題】光ピックアップにおける光ディスクの記録再生において、記録再生時の前光による光源出力制御は必須であるが、前光検出には少なくとも集光レンズ、光検出器及びこれらの部品を配置するスペースが必要となり、ピックアップ小型化のネックとなっている。【解決手段】半透過型光検出器を用いることで、専用に光路を分割することもなく、また集光レンズを用いることもなく前光を検出することが出来る。この半透過型光検出器を用いることで、光ピックアップを構成する部品点数を削減でき、光ピックアップの小型化が可能となる。【選択図】図１
2005196834.tif 000002
【特許請求の範囲】
【請求項１】
半透明光検出器と、レーザ光源とレーザ光源から出射される光ビームを受けて光情報媒体の記録面上へ微小スポットに集光する光学レンズと、前記光ビームの偏光方向により光路を分岐する光路分岐素子と、前記光情報媒体の記録面上で反射した光ビームを受けてその光量に応じて電気信号を出力する第一の光検出器とを具備する光ピックアップであって、前記半透明光検出器を前記光路分岐素子と前記レーザ光源の間の光路中に配置することを特徴とする光ピックアップ。
【請求項２】
半透明光検出器と、波長λの光を出射するレーザ光源と、前記光検出器の電気信号出力を受けて前記レーザ光源の光源出力を制御する回路とを具備するシステムであって、前記レーザ光源から出射される光ビームを前記光検出器を通過させることで、前記光ビームの光源出力の一部を電気信号に変換し、その電気信号を前記制御回路が入力として受け、現在の前記レーザ光源の光源出力を判断し、前記制御回路が前記レーザ光源の光源出力を時間的に安定に制御することを特徴とする光量制御システム。
【請求項３】
半透明光検出器を具備するレーザ光源素子であって、前記光検出器と前記レーザ光源は一体のユニットになっており、前記光検出器の電気信号出力部分は前記レーザ光源素子の電気端子のひとつに接続されており、前記レーザ光源素子の光量の一部が電気信号として前記光量出力端子より出力されることを特徴とするレーザ光源素子。
【請求項４】
請求項３記載のレーザ光源素子と前記レーザ光源素子の光量出力端子からの電気信号を受けて前記レーザ光源の光源出力を制御する回路とを具備するシステムであって、前記制御回路が前記レーザ光源素子の光量出力端子からの電気信号を入力として、現在の前記レーザ光源の光源出力を判断し、前記制御回路が前記レーザ光源の光源出力を時間的に安定に制御することを特徴とする光量制御システム。
【請求項５】
請求項２、４いずれか記載の光量制御システムと、前記システム中のレーザ光源から出射される光ビームを受けて光情報媒体の記録面上へ微小スポットに集光する光学レンズと、前記光情報媒体の記録面上で反射した光ビームを受けてその光量に応じて電気信号を出力する第一の光検出器とを具備し、前記光量制御システムの働きにより、安定に光情報媒体への情報の記録、再生を行うことができる光ピックアップ。
【請求項６】
請求項１、５いずれか記載の光ピックアップと、光情報媒体を回転するモータと、前記光ヘッド装置から得られる信号を受け、前記信号に基づいて前記モータや光学レンズやレーザ光源を制御および駆動する電器回路を具備する光情報装置。
【請求項７】
請求項６記載の光情報装置と、情報を入力するための入力装置あるいは入力端子と、前記入力装置から入力された情報や前記光情報装置から再生された情報に基づいて演算を行う演算装置と、前記入力装置から入力された情報や前記光情報装置から再生された情報や、前記演算装置によって演算された結果を表示あるいは出力するための出力装置あるいは出力端子を備えたコンピュータ。
【請求項８】
請求項６記載の光情報装置と、前記光情報装置から得られる情報信号を画像に変換する情報から画像へのデコーダーを有する光情報媒体プレーヤー。
【請求項９】
請求項６記載の光情報装置と、前記光情報装置から得られる情報信号を画像に変換する情報から画像へのデコーダーを有するカーナビゲーションシステム。
【請求項１０】
請求項６記載の光情報装置と、画像情報を前記光情報装置によって記録する情報に変換する画像から情報へのエンコーダーを有する光情報媒体レコーダー。
【請求項１１】
請求項６記載の光情報装置と、外部との情報のやりとりを行う入出力端子を備えた光ディスクサーバ。
【発明の詳細な説明】
【技術分野】
【０００１】
本発明は、光ピックアップから光情報記録媒体に光を照射して情報の記録及び／または再生を行う光情報記録再生装置に関するものである。
【背景技術】
【０００２】
ディジタルオーディオや画像、動画、コンピュータ等で作成された文書ファイルやデータファイルを記録、保存するための記録媒体は多種多様だが、その一つに光ディスクがある。中でもＤＶＤ（Ｄｉｇｉｔａｌ  Ｖｅｒｓａｔｉｌｅ  Ｄｉｓｋ）は従来のＣＤ（Ｃｏｍｐａｃｔ  Ｄｉｓｃ）と比較して高密度かつ大容量であり、録画機の分野においても、現在主流であるＶＴＲ（Ｖｉｄｅｏ  Ｔａｐｅ  Ｒｅｃｏｒｄｅｒ）に替わる媒体として普及しつつある。さらに近年、青紫色半導体レーザを用い、記録密度をより一層高めた次世代の光ディスクの研究が各所で進められており、早期の登場が期待されている。また、これらの光ディスクにおいて、データの記録・再生を行うためには光ピックアップが必要である。
【０００３】
図８に従来の光ピックアップの構成例を示す。例えば半導体レーザ等の光源１と、例えばフォトダイオード等の光検出器１０を具備し、光源１からの光ビームはビーム整形素子２によりビーム整形され、ビームスプリッタ３を通りコリメートレンズ４により平行光に変換され、立ち上げミラー５により光軸を折り曲げられ、集光レンズ６により光ディスク７上の情報記録面に集光する。光ディスク７上で反射した光は逆の経路をたどり、コリメートレンズ４により集光され、ビームスプリッタ３により反射され、光検出器１０上に集光する。この光検出器１０で光情報を電気信号に変換することにより、情報を電気信号として読み取ることが出来る。また例えば光ディスクの記録時には、光源の光源出力を安定に制御する必要があり、たとえば光源１からの光ビームはビームスプリッタ２１で全光量の一部のみが反射され、集光レンズ２２で集光されて光検出器２０上に集光する。ここでビームスプリッタ２１における反射率が既知であることより、この光検出器２０より得られる電気信号から光源１から出射されている全光量を算出することが出来る。この情報のフィードバックにより光量制御回路４１が光源の出力に制御をかけ、安定な光源出力とすることが出来る。その時々で最適な光源出力は全体の制御システム４０より随時伝送されてくるものである。レーザ素子単体で後光を用いた出力により出射光量制御をする方法も存在するが、より精度良く制御するためには後ろ光制御では不十分であり、現在の記録再生光ピックアップでは前光による光源の出射光量制御はほぼ必須となっている。なお、以降レーザ光源１から光ディスク７までの光路を往路、光ディスク７の反射から光検出器１０までの光路を復路と呼ぶ。
【０００４】
また、光ディスクの記録再生には、トラッキングやフォーカシングに代表される制御が必須である。これらの制御は、光検出器上へ集光される、光スポットの形状を利用して行われる場合が多い。このことも含め、光検出器のピックアップ上での位置調整は相当の精度を要求される場合が多い。これに対し、例えば特許文献１では光検出器として半透明な材料からなる光検出器３０を使用することにより、図９のようなピックアップ上の光学部品構成を可能とし、目視で光検出器の調整を行うことが出来るとしている。
【特許文献１】特開昭６１−１５０１４０号公報
【発明の開示】
【発明が解決しようとする課題】
【０００５】
しかしながら、従来例にあるような図９の光学部品構成をとった場合、往復光路中に半透過型光検出器を配置してあるため、往路でも光量をロスしてしまうという問題があった。
【０００６】
また復路においても同様に一部の光が透過されるので、光源に一定光量の光が戻ることになる。光源に半導体レーザを用いる場合、光源への戻り光は出力にノイズが重畳されてしまうという問題を引き起こすが、図９のような構成ではこの戻り光が確実に存在するということも問題であった。
【０００７】
また、半透過型光検出器をメインの信号検出器に用いているため、透過率は５０％で光の利用効率が最大となるが、この利用効率は光ピックアップにとって十分ではない場合があるといった問題もあった。
【０００８】
また、この半透過型光検出器を実現できるような、半透明で光電変換を可能とする材料の存在がないことも問題であった。
【０００９】
以上のように、従来は透過型光検出器という考え方はあっても、その実現性も低く、また実現したとしても有効な利用法が考案されていなかった。
【００１０】
本発明では上記課題を解決し、かつ半透過型光検出器を用いることでピックアップ中の光学部品数を減少させることが出来るという効果を最大限に活かすため、この半透過型光検出器を、前述の前光検出用の光検出器として光ピックアップ中で利用することを目的とする。
【課題を解決するための手段】
【００１１】
上記課題を解決するための、本特許出願に係る請求項１に記載の発明は、光ピックアップであって、半透明光検出器と、レーザ光源とレーザ光源から出射される光ビームを受けて光情報媒体の記録面上へ微小スポットに集光する光学レンズと、前記光ビームの偏光方向により光路を分岐する光路分岐素子と、前記光情報媒体の記録面上で反射した光ビームを受けてその光量に応じて電気信号を出力する第一の光検出器とを具備し、前記半透明光検出器を前記光路分岐素子と前記レーザ光源の間の光路中に配置することを特徴とする光ピックアップである。
【００１２】
本特許出願に係る請求項２に記載の発明は、光量制御システムであって、半透明光検出器と、波長λの光を出射するレーザ光源と、前記光検出器の電気信号出力を受けて前記レーザ光源の光源出力を制御する回路とを具備し、前記レーザ光源から出射される光ビームを前記光検出器を通過させることで、前記光ビームの光源出力の一部を電気信号に変換し、その電気信号を前記制御回路が入力として受け、現在の前記レーザ光源の光源出力を判断し、前記制御回路が前記レーザ光源の光源出力を時間的に安定に制御することを特徴とする光量制御システムである。
【００１３】
本特許出願に係る請求項３に記載の発明は、レーザ光源素子であって、半透明光検出器を具備し、前記光検出器の出力部分は前記レーザ光源素子の端子のひとつに接続されており、前記レーザ光源素子の光源出力の一部が前記光量出力端子より出力されることを特徴とするレーザ光源素子である。
【００１４】
本特許出願に係る請求項４に記載の発明は、光量制御システムであって、請求項３記載のレーザ光源素子と前記レーザ光源素子の光量出力端子からの電気信号を受けて前記レーザ光源の光源出力を制御する回路とを具備し、前記制御回路が前記レーザ光源素子の光量出力端子からの電気信号を入力として、現在の前記レーザ光源の光源出力を判断し、前記制御回路が前記レーザ光源の光源出力を時間的に安定に制御することを特徴とする光量制御システムである。
【００１５】
本特許出願に係る請求項５に記載の発明は、光ピックアップであって、請求項２または請求項４に記載の光量制御システムと、前記システム中のレーザ光源から出射される光ビームを受けて光情報媒体の記録面上へ微小スポットに集光する光学レンズと、前記光情報媒体の記録面上で反射した光ビームを受けてその光量に応じて電気信号を出力する第一の光検出器とを具備し、前記光量制御システムの働きにより、安定に光情報媒体への情報の記録、再生を行うことができる光ピックアップである。
【００１６】
本特許出願に係る請求項６に記載の発明は、請求項５記載の光ピックアップと、光情報媒体を回転するモータと、前記光ヘッド装置から得られる信号を受け、前記信号に基づいて前記モータや光学レンズやレーザ光源を制御および駆動する電器回路を具備する光情報装置である。
【００１７】
本特許出願に係る請求項７に記載の発明は、請求項６記載の光情報装置と、情報を入力するための入力装置あるいは入力端子と、前記入力装置から入力された情報や前記光情報装置から再生された情報に基づいて演算を行う演算装置と、前記入力装置から入力された情報や前記光情報装置から再生された情報や、前記演算装置によって演算された結果を表示あるいは出力するための出力装置あるいは出レーザ力端子を備えたコンピュータである。
【００１８】
本特許出願に係る請求項８に記載の発明は、請求項６記載の光情報装置と、前記光情報装置から得られる情報信号を画像に変換する情報から画像へのデコーダーを有する光情報媒体プレーヤーである。
【００１９】
本特許出願に係る請求項９に記載の発明は、請求項６記載の光情報装置と、前記光情報装置から得られる情報信号を画像に変換する情報から画像へのデコーダーを有するカーナビゲーションシステムである。
【００２０】
本特許出願に係る請求項１０に記載の発明は、請求項６記載の光情報装置と、画像情報を前記光情報装置によって記録する情報に変換する画像から情報へのエンコーダーを有する光情報媒体レコーダーである。
【００２１】
本特許出願に係る請求項１１に記載の発明は、請求項６記載の光情報装置と、外部との情報のやりとりを行う入出力端子を備えた光ディスクサーバである。
【発明の効果】
【００２２】
本発明の半透過型光検出器を用いた光量制御システムによれば、半透過型を往復路でなく、往路のみの光路に配置するため、光量ロスを最小限に抑えられるといった効果がある。また、偏光光学系中に配置することで、往復路上に配置する必要がなくなるので、レーザ光源への戻り光がなくなるといった効果がある。また、本発明では半透過型光検出器を前光検出器として用いることで、透過率を例えば８０％以上とすることができ、光の利用効率を十分高くとることができるといった効果がある。また、前光を必要とする光学系において、集光レンズ等といった一部の光学部品を省略することができるので、ピックアップの小型化が可能であるといった効果がある。
【発明を実施するための最良の形態】
【００２３】
以下に本発明の形態について、図面を参照しながら説明する。
【００２４】
（実施の形態１）
図１は本発明の実施の形態１における光ピックアップの構成を示す線図的説明図である。
【００２５】
図１において１は波長λ（３９０ｎｍ〜４１５ｎｍ：代表として４０５ｎｍとする）のレーザ光を出射するレーザ光源、２はレーザ光の成形を行うビーム整形素子、３は光路を分割するビームスプリッタ、４はコリメートレンズ、５は光軸を折り曲げる立ち上げミラー、６は対物レンズ（光学レンズ）、７は基材厚みｔ１が０．１ｍｍあるいはより薄い基材厚みで、波長λの光ビームによって記録・再生をされる光ディスクである。光ディスク７は、光の入射面から記録面までの基材のみを図示している。実際には機械的強度を補強し、また、外形をＣＤと同じ１．２ｍｍにするため、保護板と貼り合わせを行う。本発明の図では、簡単のため保護材は省略する。
【００２６】
レーザ光源１は、好ましくは半導体レーザ光源とすることにより、光ピックアップ及びこれを用いた光情報装置を小型、軽量、低消費電力にすることができる。
【００２７】
光ディスク７の記録再生を行う際には、レーザ光源１から出射した波長λ１の青色光ビームがビーム整形素子２によって整形され、前光検出器２０を透過し、ビームスプリッタ３をほぼ全透過し、コリメートレンズ４によって略平行光にされ、さらに立ち上げミラー５によって光軸を折り曲げられ、１／４波長板８によって円偏光になる。そして屈折型の対物レンズ６によって光ディスク７の厚さ０．１ｍｍの基材を通して情報記録面に集光される。
【００２８】
情報記録面で反射した青色光ビーム５１は、元の光路を逆にたどって（復路）、１／４波長板８によって初期とは直角方向の直線偏光になり、コリメートレンズ４により焦点距離を伸ばされて、ビームスプリッタ３でほぼ全反射し、光検出器１０に入射する。光検出器１０の出力を演算することによって、焦点制御やトラッキング制御に用いるサーボ信号及び情報信号を得る。上記のようにビームスプリッタ３は、波長λの光ビームに関して、一方向の直線偏光を全反射し、それと直角方向の直線偏光を全透過する偏光分離膜を持った光路分岐素子である。
【００２９】
ここで前光検出器２０は光源からのビームの光量のうち、例えば略２０％を光電変換により電気信号に変換し、残りの略８０％は透過する半透過型光検出器である。この半透過型光検出器の出力を測定する手段により、この場合その略５倍が全光源出力であることが算出できる。これらの演算および、外部システムへの入出力を行うのは光量制御回路４１である。光量制御回路４１は全体の制御システム４０より、光ディスクの記録または再生時の最適光源出力値の指示を受け、先の半透過型光検出器の出力より算出された現在の光源出力値の判断を行い、最適光源出力値に近い値となるように、その時々の光源の駆動出力を決定して光源の駆動を行うことができる。
【００３０】
また、この半透過型光検出器を構成する材料であるが、例えば独立行政法人産業技術総合研究所エレクトロニクス研究部門より２００３年６月２５日に発表のあった「透明な太陽電池」を利用することで構成可能である（下記インターネットサイト参照）。
【００３１】
ｈｔｔｐ：／／ｗｗｗ．ａｉｓｔ．ｇｏ．ｊｐ／ａｉｓｔ＿ｊ／ｐｒｅｓｓ＿ｒｅｌｅａｓｅ／ｐｒ２００３／ｐｒ２００３０６２５／ｐｒ２００３０６２５．ｈｔｍｌ
このサイトに掲載されている、酸化亜鉛と銅アルミ酸化物による「可視光透過太陽電池」は波長４００ｎｍ（青色)にて光起電圧が最大を示しており、前記波長λを利用する光ピックアップにおいて最適である。また、起電圧という用語が示すとおり、光照射時の出力が電圧であることもＩＶ変換アンプが不要になると言った点などから、光ピックアップにとって最適と言える。
【００３２】
以上の構成により、半透過型光検出器を往路のみの光路に配置するため、光量ロスを最小限に抑えられるといった効果がある。また、半透過型光検出器を偏光光学系中に配置することで、往復路上に配置する必要がなくなるので、レーザ光源への戻り光がなくなるといった効果がある。また、半透過型光検出器を前光検出器として用いることで、透過率を例えば８０％以上とすることができ、光の利用効率を十分高くとることができるといった効果がある。また、光学系として前光用の集光レンズ等といった一部の光学部品を省略することができるので、ピックアップの小型化が可能であるといった効果がある。
【００３３】
なお、本実施の形態１において前光検出器２０の信号変換光量を略２０％、透過光量を略８０％としたが、これ以外の割合であっても構わない。
【００３４】
また、光源として例えば波長λのレーザ光を出射するレーザ光源としたが、波長はこれ以外の値であってもよく、この場合の前光検出器を構成する材料は、前記酸化亜鉛と銅アルミ酸化物による構成ものとは別のものであってもよい。
【００３５】
また、本実施の形態において光ディスクの基材厚を０．１ｍｍとしているが、０．０６ｍｍ〜０．１１ｍｍの基材厚であっても良い。
【００３６】
また、本実の形態において、前光検出器２０は偏光光学系により分離された光路上の往路に配置されているが、光学構成は偏光光学系でなくともよい。この場合往復光路上に前光検出器２０が配置されることとなるが、透過率が５０％に比べ十分高いので、光の利用効率は十分確保できる。戻り光に関しても、例えば再生専用のピックアップであれば戻り光ノイズは問題とならない場合が多いので、十分使用に耐えうる。
【００３７】
また、本実施の形態において前光検出器２０は発散光中に配置されているが、通過する光ビームは平行光であっても構わない。
【００３８】
（実施の形態２）
図２は本発明の実施の形態における光ピックアップの構成を示す線図的説明図である。図２において図１と同じ構成については同じ符号を用い説明を省略する。
【００３９】
本実施の形態ではレーザ光源のカバーガラスの代わりに半透過型の前光検出器２０を適用している。すなわちレーザ素子と前光検出素子を一体の素子として扱うことが出来る。出力用の端子としては従来後光用出力として用いられた端子を流用できるので、増設の必要はない。この光量出力端子より光量制御回路へ全光源出力の一部が電気信号として伝わるものである。
【００４０】
以上の構成により、レーザ光源素子単体で前光出力を持つ素子が実現可能であり、ピックアップにおける光学部品点数削減はもちろん、レーザ光源素子の利用可能性を大きく広げられることが出来るといった効果がある。
【００４１】
（実施の形態３）
さらに、本発明の光ピックアップを用いた光情報装置の実施の形態を、図３に示す。図３において光ディスク９は、ターンテーブル８２に乗せられ、モータ６４によって回転される。実施の形態１〜２に示した光ピックアップ５５は、前記光ディスクの所望の情報の存在するトラックのところまで、光ピックアップの駆動装置５１によって粗動される。
【００４２】
前記光ピックアップ５５は、また、前光ディスク７との位置関係に対応して、フォーカスエラー（焦点誤差）信号やトラッキングエラー信号を電気回路５３へ送る。前記電気回路５３はこの信号に対応して、前記光ピックアップ５５へ、対物レンズを微動させるための信号を送る。この信号によって、前記光ピックアップ５５は、前記光ディスクに対してフォーカス制御と、トラッキング制御を行い、前記光ピックアップ５５によって、情報の読みだし、または書き込み（記録）や消去を行うことができる。
【００４３】
（実施の形態４）
実施の形態３に記した光情報装置６７を具備した、コンピュータの実施の形態を示す。
【００４４】
上述の実施の形態の光情報装置を具備した、あるいは、上述の記録・再生方法を採用したコンピュータや、光ディスクプレーヤ、光ディスクレコーダは、異なる種類の光ディスクを安定に記録あるいは再生できるので、広い用途に使用できるという効果を有するものとなる。
【００４５】
図４において、実施の形態４の光情報装置６７と、情報の入力を行うためのキーボードあるいはマウス、タッチパネルなどの入力装置６５と、前記入力装置から入力された情報や、前記光情報装置６７から読み出した情報などに基づいて演算を行う中央演算装置（ＣＰＵ）などの演算装置７０と、前記演算装置によって演算された結果などの情報を表示するブラウン管や液晶表示装置、プリンターなどの出力装置８１を備えたコンピュータ１００を構成する。
【００４６】
（実施の形態５）
実施の形態３に記した光情報装置を具備した、光ディスクプレーヤの実施の形態を図５を用いて示す。
【００４７】
図５において、実施の形態３の光情報装置６７と、前記光情報装置から得られる情報信号を画像に変換する情報から画像への変換装置（例えばデコーダー６６）を有する光ディスクプレーヤ７７を構成する。また、本構成はカーナビゲーションシステムとしても利用できる。また、液晶モニターなどの表示装置１２０を加えた形態も可能である。
【００４８】
（実施の形態６）
実施の形態３に記した光情報装置を具備した、光ディスクレコーダの実施の形態を下記に示す。
【００４９】
図６を用いて実施の形態６を説明する。図６において、実施の形態３の光情報装置６７と、画像情報を、前記光情報装置によって光ディスクへ記録する情報に変換する画像から情報への変換装置（例えばエンコーダー６８）を有する光ディスクレコーダを構成する。望ましくは、前記光情報装置から得られる情報信号を画像に変換する情報から画像への変換装置（デコーダー６６）も有することにより、既に記録した部分を再生することも可能となる。情報を表示するブラウン管や液晶表示装置、プリンターなどの出力装置８１を備えてもよい。
【００５０】
（実施の形態７）
図７を用いて実施の形態７を説明する。図７において光情報装置６７は実施の形態３に記した光情報装置である。また、入出力端子６９は光情報装置６７に記録する情報を取り込むまたは、光情報装置６７によって読み出した情報を外部に出力する有線または無線の入出力端子である。これによって、ネットワーク、すなわち、複数の機器、例えば、コンピュータ、電話、テレビチュウナー、などと情報をやりとりし、これら複数の機器から共有の情報サーバー（光ディスクサーバ）、として利用することが可能となる。異なる種類の光ディスクを安定に記録あるいは再生できるので、広い用途に使用できる効果を有するものとなる。情報を表示するブラウン管や液晶表示装置、プリンターなどの出力装置８１を備えてもよい。
【００５１】
さらに、複数の光ディスクを光情報装置６７に出し入れするチェンジャー１３１を具備することにより、多くの情報を記録・蓄積できる効果を得ることができる。
【００５２】
なお、上述の実施の形態４〜７において図４〜図７には出力装置８１や液晶モニター１２０を示したが、出力端子を備えて、出力装置８１や液晶モニター１２０は持たず、別売りとする商品形態があり得ることはいうまでもない。また、図５と図６には入力装置は図示していないが、キーボードやタッチパネル、マウス、リモートコントロール装置など入力装置も具備した商品形態も可能である。逆に、上述の実施の形態４〜７において、入力装置は別売りとして、入力端子のみを持った形態も可能である。
【産業上の利用可能性】
【００５３】
本発明は、光ピックアップにより光情報記録媒体に光を照射して情報の記録及び／または再生を行う光情報記録再生装置に関するものであり、光ディスクを利用するコンピュータからＡＶ機器まで、幅広い産業分野で利用することができ、その産業上の利用可能性は非常に広く且つ大きい。
【図面の簡単な説明】
【００５４】
【図１】本発明の実施の形態１における光ピックアップの構成を示す線図的説明図
【図２】本発明の実施の形態２における光ピックアップの構成を示す線図的説明図
【図３】本発明の実施の形態の光情報装置の概略断面図
【図４】本発明の実施の形態のコンピュータの構成を示す概略斜視図
【図５】本発明の実施の形態の光ディスクプレーヤ及びカーナビゲーションシステムの構成を示す概略斜視図
【図６】本発明の実施の形態の光ディスクレコーダの構成を示す概略斜視図
【図７】本発明の実施の形態の光ディスクサーバの構成を示す概略斜視図
【図８】従来の光ピックアップの構成例を示す線図的説明図
【図９】従来の半透過型光検出器を用いた光ピックアップの構成例を示す線図的説明図
【符号の説明】
【００５５】
１    レーザ光源
２    ビーム整形素子
３    ビームスプリッタ
４    コリメートレンズ
５    立上げミラー
６    集光レンズ
７    光ディスク
１０    光検出器
２０    前光検出器
２１    ビームスプリッタ
２２    集光レンズ
３０    半透明光検出器
５１    光ヘッド装置の駆動装置
５３    電気回路
５５    光ヘッド装置
６４    演算装置
６５    入力装置
６６    デコーダー
６７    光情報装置
６８    エンコーダー
６９    入出力端子
７７    光ディスクプレーヤ（またはカーナビゲーションシステム）
８１    出力装置
１００    コンピュータ
１３０    光ディスクサーバ
【図１】
2005196834.tif 000003
【図２】
2005196834.tif 000004
【図３】
2005196834.tif 000005
【図４】
2005196834.tif 000006
【図５】
2005196834.tif 000007
【図６】
2005196834.tif 000008
【図７】
2005196834.tif 000009
【図８】
2005196834.tif 000010
【図９】
2005196834.tif 000011